(57)【要約】【課題】指の大きさや太さが異なったような場合であっても、患部に対する保護性に優れるとともに、優れた使用感が得られる複合粘着保護部材を提供する。【解決手段】指の周囲を部分的に覆うための第１の粘着保護部材と、当該第１の粘着保護部材と組み合わせられた状態で、爪の周囲を部分的に覆うための第２の粘着保護部材と、を含む複合粘着保護部材であって、以下の特徴（Ａ）および（Ｂ）を備えている。（Ａ）第１の粘着保護部材は、少なくとも粘着剤層と、基材と、を含み、かつ、粘着保護部材の平面形状を、略半楕円形とするとともに、当該平面形状の一部に、切り欠けを備えている。（Ｂ）第２の粘着保護部材は、少なくとも粘着剤層と、基材と、を含み、かつ、第２の粘着保護部材の平面形状の一部に、略半円形の切り欠けを備えている。【選択図】図１
2008023111.tif 000002
【特許請求の範囲】
【請求項１】
指の周囲を部分的に覆うための第１の粘着保護部材と、当該第１の粘着保護部材と組み合わせられた状態で、爪の周囲を部分的に覆うための第２の粘着保護部材と、を含む複合粘着保護部材であって、以下の特徴（Ａ）および（Ｂ）を備えることを特徴とする複合粘着保護部材。
（Ａ）前記第１の粘着保護部材は、少なくとも粘着剤層と、基材と、を含み、かつ、前記粘着保護部材の平面形状を、略半楕円形とするとともに、当該平面形状の一部に、切り欠けを備えている。
（Ｂ）前記第２の粘着保護部材は、少なくとも粘着剤層と、基材と、を含み、かつ、前記第２の粘着保護部材の平面形状の一部に、略半円形の切り欠けを備えている。
【請求項２】
前記第１の粘着保護部材および第２の粘着保護部材、あるいはいずれか一方における基材の伸び率（ＪＩＳ−Ｌ−１０９６準拠）が１５０％以上であることを特徴とする請求項１に記載の複合粘着保護部材。
【請求項３】
前記第１の粘着保護部材および第２の粘着保護部材、あるいはいずれか一方における基材の表面に、補強用剥離部材を備えることを特徴とする請求項１または２に記載の複合粘着保護部材。
【請求項４】
前記第１の粘着保護部材および第２の粘着保護部材、あるいはいずれか一方における粘着剤層と、基材との間に、不織布からなるクッション層を備えることを特徴とする請求項１〜３に記載の複合粘着保護部材。
【請求項５】
前記第１の粘着保護部材および第２の粘着保護部材、あるいはいずれか一方における基材の透湿度（ＪＩＳ  Ｚ−０２０８に測定準拠）を１００〜２０００ｇ／ｍ2・２４Ｈｒｓの範囲内の値とすることを特徴とする請求項１〜４のいずれか一項に記載の複合粘着保護部材。
【請求項６】
前記第１の粘着保護部材における粘着剤層の表面に、凹凸あるいは開口部が設けてあることを特徴とする請求項１〜５のいずれか一項に記載の複合粘着保護部材。
【請求項７】
前記第１の粘着保護部材および第２の粘着保護部材、あるいはいずれか一方に、識別マークを設けるか、あるいは、前記第１の粘着保護部材および第２の粘着保護部材における基材の色を異ならしめることを特徴とする請求項１〜６のいずれか一項に記載の複合粘着保護部材。
【発明の詳細な説明】
【技術分野】
【０００１】
本発明は、第１の粘着保護部材および第２の粘着保護部材を含む複合粘着保護部材に関し、特に、指の大きさや太さが異なったような場合であっても、患部の保護性に優れるとともに、優れた使用感や、良好な使い勝手性が得られる複合粘着保護部材に関する。
【背景技術】
【０００２】
従来、医療用粘着テープは、患部における皮膚（角質層）に貼り付けたり、巻きつけたりして使用されることから、皮膚に対する適度な接着性とともに、皮膚の角質層に対して、剥離損傷による皮膚刺激やかぶれを発症させない適度な剥離性を有するものが求められている。
しかしながら、このような医療用粘着テープをさかむけ防止用テープや切り傷用テープとして使用した場合、患部を選択的あるいは局所的に覆うことは困難であって、指全体に巻きつける必要があった。また、このように医療用粘着テープを指全体に巻きつけてしまうと、パーソナルコンピューターや携帯電話等を使用する場合、あるいは美容業者等が仕事する場合に、指に違和感が生じたり、誤タイプ等をしやすかったりするという問題が見られた。
【０００３】
そこで、図１１に示すような、特殊な平面形状を有する指爪被覆テープ１００が提案されている（例えば、特許文献１参照）。
より具体的には、通気孔１０３を設けたフィルム１０４に粘着剤を施してなり、且つその全体形状は、指の腹側と背側のそれぞれに貼り付けられる円形状部１０２の間に、括れ部１０１を有する形状とされ、さらに指の腹側と背側に貼り付けられる部分の長さが、指先から第１関節の手前までの長さ程度とされ、また括れ部１０１の最小幅が指爪の幅とほぼ同じかやや狭い程度とされ、そして括れ部１０１に位置対応させて非粘着性のパッド部１０６が設けられた指爪被覆テープ１００である。
【０００４】
また、図１２に示すような、特殊な平面形状を有するとともに、巻きつけ部を備えた指先用絆創膏２００が提案されている（例えば、特許文献２参照）。
より具体的には、指先を包み込むように貼ることのできる指先用傷絆創膏２００であって、伸縮自在拌創膏２０１の中央に、消毒用ガーゼ２０２を貼付し、その消毒用ガーゼ２０２から、外に向かって切り込み線２０３を設けた指先用絆創膏２００である。
さらに、指先の傷、あかぎれ、ささくれ等の治療等を目的として、図１３に示すような態様を有する指先傷絆キャップ３００や、図１４に示すような態様を有する指先あかぎれ用絆創膏４００が提案されている（例えば、特許文献３〜４参照）。
【特許文献１】特開平１１−１９１１８（特許請求の範囲）
【特許文献２】特開２００４−２２２７４９（特許請求の範囲）
【特許文献３】特開平９−１２２１７３（特許請求の範囲）
【特許文献４】特開２００５−９５４７７（特許請求の範囲）
【発明の開示】
【発明が解決しようとする課題】
【０００５】
しかしながら、特許文献１に開示された指爪被覆テープは、指爪を全体的に覆うことを意図しており、指の大きさや太さが異なったような場合に、患部の保護性が乏しくなったり、ささくれ等の患部を選択的に覆ったりすることは困難であった。したがって、パーソナルコンピューターや携帯電話等を使用する際に、指に対する違和感が極めて大きいという問題が見られた。
また、特許文献２に開示された指先用絆創膏は、患部被覆部と、巻付部とが一体的に設けてあることから、強固に固定できるものの、この指先用絆創膏についても、従来の医療用粘着テープと同様に、指爪を全体的に覆ってしまうことから、使用時の違和感が極めて大きいという問題が見られた。
また、特許文献３に開示された指先傷絆キャップについても、従来の医療用粘着テープと同様に、指爪を全体的に覆ってしまうことから、使用時の違和感が極めて大きいという問題が見られた。
また、特許文献４に開示された指先用絆創膏は、爪を露出させた状態で被覆することができるものの、人によって、指の大きさや太さが異なることを何ら考慮しておらず、フィット性が不十分であるという問題が見られた。
さらに言えば、特許文献１〜４に開示された指爪被覆テープや指先用絆創膏は、使い勝手や大きさが過度に制限されるため、すべての手の指にフィットさせることが難しいばかりか、足の指に適応させることは事実上、困難であった。
【０００６】
そこで、本発明者は、所定の第１の粘着保護部材および第２の粘着保護部材を組み合わせることによって、同一サイズでもって、手足の指等における所定患部に対して、選択的かつ十分にフィットすることを見出し、本発明を完成したものである。
すなわち、本発明は、手足の指の大きさや太さが異なったような場合であっても、患部に対して選択的かつ十分に被覆することができ、保護性に優れるとともに、優れた使用感や、良好な使い勝手性が得られる複合粘着保護部材を提供することを目的とする。
【課題を解決するための手段】
【０００７】
本発明によれば、指の周囲を部分的に覆うための第１の粘着保護部材と、当該第１の粘着保護部材と組み合わせられた状態で、爪の周囲を部分的に覆うための第２の粘着保護部材と、を含む複合粘着保護部材であって、以下の特徴（Ａ）および（Ｂ）を備えた複合粘着保護部材が提供され、上述した問題点を解決することができる。
（Ａ）第１の粘着保護部材は、少なくとも粘着剤層と、基材と、を含み、かつ、粘着保護部材の平面形状を、略半楕円形とするとともに、当該平面形状の一部に、切り欠けを備えている。
（Ｂ）第２の粘着保護部材は、少なくとも粘着剤層と、基材と、を含み、かつ、第２の粘着保護部材の平面形状の一部に、略半円形の切り欠けを備えている。
すなわち、所定の第１の粘着保護部材および第２の粘着保護部材を組み合わせることによって、同一サイズでもって、手足等の所定患部に選択的かつ十分にフィットすることから、患部を選択的かつ十分に被覆することができる。したがって、手足の指の大きさや太さが異なったような場合であっても、優れた保護性が得られるとともに、使用感や使い勝手についても優れたものとなる。
【０００８】
また、本発明の複合粘着保護部材を構成するにあたり、第１の粘着保護部材および第２の粘着保護部材、あるいはいずれか一方における基材の伸び率（ＪＩＳ−Ｌ−１０９６準拠）が１５０％以上であることが好ましい。
【０００９】
また、本発明の複合粘着保護部材を構成するにあたり前記第１の粘着保護部材および第２の粘着保護部材、あるいはいずれか一方における基材の表面に、補強用剥離部材を備えることが好ましい。
【００１０】
このように構成することにより、伸び率が大きくて取り扱いが困難な基材を備えた粘着保護部材であっても、所定箇所に容易に貼付できるとともに、さかむけや切り傷を選択的に被覆することができて、さらに優れた使用感を得ることができる。また、基材の表面に、補強用剥離部材を積層することにより、製造時の工程紙としての機能を発揮させることもできる。
【００１１】
また、本発明の複合粘着保護部材を構成するにあたり、第１の粘着保護部材および第２の粘着保護部材、あるいはいずれか一方における粘着剤層と、基材との間に、不織布からなるクッション層を備えることが好ましい。
このように構成することにより、さかむけや切り傷の保護性にさらに優れるとともに、さらに優れた使用感を得ることができる。
【００１２】
また、本発明の複合粘着保護部材を構成するにあたり、第１の粘着保護部材および第２の粘着保護部材、あるいはいずれか一方における基材の透湿度（ＪＩＳ  Ｚ−０２０８に測定準拠）を１００〜２０００ｇ／ｍ2・２４Ｈｒｓの範囲内の値とすることが好ましい。
このように構成することにより、水仕事や外仕事、あるいは医療分野等においても、外部からの液体物の進入を容易に防止して、衛生環境上好ましいばかりか、粘着保護部材の剥がれを有効に防止することができる。
【００１３】
また、本発明の複合粘着保護部材を構成するにあたり、第１の粘着保護部材における粘着剤層の表面に、凹凸あるいは開口部が設けてあることが好ましい。
このように構成することにより、透湿度の調整がさらに容易になって、衛生環境上好ましいばかりか、粘着保護部材の剥がれを有効に防止することができる。
【００１４】
また、本発明の複合粘着保護部材を構成するにあたり、第１の粘着保護部材および第２の粘着保護部材、あるいはいずれか一方に、識別マークを設けるか、あるいは、第１の粘着保護部材および第２の粘着保護部材における基材の色を異ならしめることが好ましい。
このように構成することにより、第１の粘着保護部材および第２の粘着保護部材を誤った箇所に使用することが少なくなって、さらに優れた使い勝手性を得ることができる。
【発明を実施するための最良の形態】
【００１５】
本発明の実施形態は、図１（ａ）および（ｂ）に示すように、指の周囲を部分的に覆うための第１の粘着保護部材１１と、当該第１の粘着保護部材１１と組み合わせられた状態で、爪の周囲を部分的に覆うための第２の粘着保護部材１２と、を含む複合粘着保護部材１０であって、以下の特徴（Ａ）および（Ｂ）を備えた複合粘着保護部材１０である。
（Ａ）第１の粘着保護部材１１は、少なくとも粘着剤層１１ａと、基材１１ｂと、を含み、かつ、粘着保護部材１１の平面形状を、略半楕円形とするとともに、当該平面形状の一部に、切り欠け１１ｃを備えている。
（Ｂ）第２の粘着保護部材１２は、少なくとも粘着剤層１２ａと、基材１２ｂと、を含み、かつ、第２の粘着保護部材１２の平面形状の一部に、略半円形の切り欠け１２ｃを備えている。
なお、図１（ａ）の上方には、第１の粘着保護部材１１の平面図を示してあり、その下方には、第１の粘着保護部材１１の断面図を示してある。また、同様に、図１（ｂ）の上方には、第２の粘着保護部材１２の平面図を示してあり、その下方には、第２の粘着保護部材１１の断面図を示してある。
以下、第１の粘着保護部材１１と、第２の粘着保護部材１２とを含んでなる複合粘着保護部材１０の実施形態を、主として、さかむけ用粘着保護部材として、説明する。
【００１６】
１．基材
（１）種類
複合粘着保護部材１０（第１の粘着保護部材１１および第２の粘着保護部材１２）の一部を構成する基材１１ｂ、１２ｂの種類は、特に制限されるものでなく、例えば、ポリウレタンフィルム、ポリエステルフィルム、塩化ビニルフィルム、オレフィンフィルム、ポリカーボネートフィルム、ポリサルフォンフィルム、ポリフェニレンサルファイドフィルム、ポリイミドフィルム、紙、繊維入りフィルム等が挙げられる。
また、基材の形態についても特に制限されるものでなく、例えば、メッシュ状素材であっても、あるいは織布または不織布であっても良い。
例えば、基材として、メッシュ状素材や不織布を用いると、極めてクッション性や通気性に優れたさかむけ用粘着保護部材を構成することができる。一方、基材として、ポリエステル繊維等からなる織布を用いると、透湿度を低く抑えられるとともに、指の動きに対する追従性に優れたさかむけ用粘着保護部材とすることができる。
【００１７】
また、特に優れた使用感等が得られやすいことから、基材の伸び率（ＪＩＳ−Ｌ−１０９６準拠、以下同様である。）を１５０％以上の値とすることが好ましく、２００〜５００％の範囲内の値とすることがより好ましく、３００〜４００％の範囲内の値とすることが更に好ましい。
但し、このように伸び率が大きくて、取り扱いが困難な基材を使用する場合には、図２に示すように、基材１１ｂ、１２ｂの表面に、補強用剥離部材１１ｂ´、１２ｂ´をそれぞれ備えることが好ましい。
この理由は、このように補強用剥離部材を備えることにより、使い勝手が良好になって、所定箇所に容易に貼付できるとともに、さかむけや切り傷が発生した部分を選択的かつ精度良く被覆することができ、さらには、製造時の工程紙としての機能を発揮させることもできるためである。
また、補強用剥離部材は、剥離部材としての機能以外に、補強部材としての機能を発揮することから、繊維や無機充填剤等の補強材を含んだり、通常の剥離部材よりも厚くしたり、機械的強度を高めたりすることが好ましい。
なお、図２に示すように、第１の粘着保護部材１１における粘着剤層１１ａおよび第２の粘着保護部材１２における粘着剤層１２ａの裏面には、それぞれ粘着剤層等の保護のために、剥離部材６０が設けてある。
【００１８】
（２）厚さ
また、基材の厚さを５〜２，０００μｍの範囲内の値とすることが好ましい。
この理由は、かかる基材の厚さが５μｍ未満の値になると、機械的強度が低下したり、取り扱い性が低下したりして、さかむけ用粘着保護部材等の用途に、適さなくなる場合があるためである。
一方、かかる基材の厚さが２，０００μｍを超えると、過度に厚くなって、逆に、取り扱いが困難となるばかりか、さかむけ用粘着保護部材等の一部を構成した場合に、皮膚等から容易に剥離する場合があるためである。
したがって、基材の厚さを１０〜１，０００μｍの範囲内の値とすることがより好ましく、１５〜５００μｍの範囲内の値とすることがさらに好ましい。
なお、基材の伸び率（ＪＩＳ−Ｌ−１０９６準拠）が１５０％以上であって、さらにかかる基材の厚さが５〜１５μｍとなると、優れた使用感が得られやすいという特徴がある。
但し、このように伸び率が大きくて、薄手の基材を使用する場合には、所定箇所に容易に貼付できるとともに、さかむけや切り傷が発生した部分を選択的に被覆したり、さらには容易に製造できることから、図２等に示すように、基材１１ｂ、１２ｂの表面に、補強用剥離部材１１ｂ´、１２ｂ´を設けることが好ましい。
【００１９】
（３）形状
また、複合粘着保護部材（第１の粘着保護部材１１および第２の粘着保護部材１２）の基材の形状に関して、それぞれ図１（ａ）、（ｂ）に示すように、特徴（Ａ）として、第１の粘着保護部材１１における基材１１ｂの平面形状を、略半楕円形とするとともに、当該平面形状の一部に、切り欠け１１ｃを備え、かつ、特徴（Ｂ）として、第２の粘着保護部材１２の平面形状の一部に、略半円形（長円、楕円、及び多角形等を含む。以下、同様である。）の切り欠け１２ｃを備えるものとする。
この理由は、第１の粘着保護部材１１における基材１１ｂの平面形状を、所定の曲率を有する略半楕円形とすることにより、指先等において、爪を残した状態であっても、容易かつ迅速に、部分的に被覆することができるためである。
また、第１の粘着保護部材１１における基材１１ｂの平面形状の一部に、切り欠け１１ｃを備えることにより、指先等にフィットして、患部のみを被覆することができるためである。
また、第２の粘着保護部材１２における基材１２ｂの平面形状の一部に、所定の曲率を有する略半円形の切り欠け１２ｃを備えることにより、指先等における爪と、皮膚との間の形状に合致させることができるためである。
したがって、このような基材１１ｂ、１２ｂを備えた第１の粘着保護部材１１および第２の粘着保護部材１２であれば、同一サイズでもって、所定患部に選択的かつ十分にフィットすることから、患部を選択的かつ十分に被覆することができる。よって、指の大きさや太さが異なったような場合であっても、優れた保護性が得られるとともに、使用感や使い勝手についても優れたものとすることができる。
【００２０】
また、図３（ａ）〜（ｂ）に示すように、第１の粘着保護部材１１を変形させることも好ましい。
例えば、図３（ａ）に示す第１の粘着保護部材１１は、基材１１ｂの一部に、液体吸収部１１ｇを設けた変形例である。かかる変形例によれば、指の先端部に傷があるような場合であっても、液体吸収部１１ｇによって、止血したり、外部からの液体の進入を防止したりすることができる。
なお、液体吸収部１１ｇは、液体の吸収効率を高めるために、不織布やガーゼ等から構成してあることが好ましい。
【００２１】
また、図４（ａ）〜（ｃ）に示すように、第２の粘着保護部材１２を変形させることも好ましい。
例えば、図４（ａ）に示す第２の粘着保護部材１２は、別の略半円形の切り欠け１２ｃを、略半円形の切り欠け１２ｃを設けた辺の対向辺においても、設けた変形例である。かかる変形例によれば、略半円形の切り欠け１２ｃの設定位置に対する方向性を考慮することなく、第２の粘着保護部材１２を貼付することができる。
また、図４（ｂ）に示す第２の粘着保護部材１２は、別の略半円形の切り欠け１２ｆを、略半円形の切り欠け１２ｃを設けた辺の対向辺にも設けるとともに、別の略半円形の切り欠け１２ｆの曲率を変えた変形例である。かかる変形例によれば、指先等における爪と、皮膚との間の形状が多少異なっているような場合であっても、より形状が合致するいずれかの略半円形の切り欠けを選択して、第２の粘着保護部材１２を貼付することができる。
さらに、図４（ｃ）に示す第２の粘着保護部材１２は、略半円形の切り欠け１２ｃを設けた辺の対向辺に、取手１２ｇを設けた変形例である。かかる変形例によれば、取手１２ｇをもって、指先等における爪と、皮膚との間に正確に第２の粘着保護部材１２を貼付することができるし、第２の粘着保護部材１２を剥がす際にも、取手１２ｇをもつことにより、患部における痛みの発生が少なくなる。
【００２２】
（４）クッション層
また、図５（ａ）〜（ｂ）に示すように、第１の粘着保護部材１１（あるいは第２の粘着保護部材１２）における粘着剤層１１ａと、基材１１ｂとの間に、不織布等からなるクッション層３０を備えることが好ましい。
この理由は、このようにクッション層を備えることにより、さかむけや切り傷の保護性にさらに優れるとともに、さらに優れた使用感を得ることができるためである。また、クッション層が、図５（ａ）〜（ｂ）に示すように、粘着剤層１１ａの表面に凹凸等を設ける際の、形状保護効果を発揮することができるためである。
なお、不織布等からなるクッション層としては、一例ではあるが、以下の態様であることが好ましい。
種類：ウレタン樹脂、ポリプロピレン樹脂、ポリエステル樹脂、又は塩化ビニル樹脂
厚さ：１０〜１００μｍ
目付け：１０〜１００ｇ／ｍ2
【００２３】
（５）撥水処理層
また、図６（ａ）および（ｂ）に示すように、第１の粘着保護部材１１および第２の粘着保護部材１２における基材１１ｂ、１２ｂの表面に、それぞれ撥水処理層（サイジング層を含む）４０を設けることが好ましい。
この理由は、このように構成することにより、水仕事や外仕事、あるいは医療分野等においても、外部からの液体物の進入を容易に防止して、衛生環境上好ましいばかりか、粘着保護部材の剥がれを有効に防止することができるためである。
なお、このような撥水処理層は、例えば、フッ素樹脂やシリコーン樹脂等から構成し、その厚さを０．０１〜５μｍの範囲内の値とすることが好ましい。
【００２４】
（６）透湿度
また、粘着保護部材の用途にもよるが、ＪＩＳ  Ｚ−０２０８に準拠して測定される基材の透湿度を１００〜２０００ｇ／ｍ2・２４Ｈｒｓの範囲内の値とすることが好ましい。
この理由は、このように基材の透湿度を制御することにより、水仕事や外仕事、あるいは医療分野等においても、外部からの液体物の進入を容易に防止して、衛生環境上好ましいばかりか、粘着保護部材の剥がれを有効に防止することができるためである。
したがって、基材の透湿度を、２００〜１７００ｇ／ｍ2・２４Ｈｒｓの範囲内の値とすることがより好ましく、４００〜１４００ｇ／ｍ2・２４Ｈｒｓの範囲内の値とすることがさらに好ましい。
但し、一部用途が制限されるものの、基材として不織布を使用した場合や、基材や粘着剤層に通気孔を設けた場合には、ＪＩＳ  Ｚ−０２０８に準拠して測定される基材の透湿度を、１５００ｇ／ｍ2・２４Ｈｒｓ以上の値とすることが好ましい。
【００２５】
（７）識別マーク及び装飾層
また、図７（ａ）および（ｂ）に示すように、第１の粘着保護部材１１および第２の粘着保護部材１２における基材１１ｂ、１２ｂに、指爪の種類に対応した識別マークや装飾層５０が設けてあることが好ましい。
この理由は、このような指の識別マークとして、数字マーク、漢字マーク、絵文字マーク、あるいは点字マーク等を設けることにより、最適サイズの粘着保護部材を一目瞭然で選別することができ、粘着保護部材を使用する際の使い勝手を著しく向上させることができるためである。
また、このような装飾層として、数字柄、漢字柄、絵文字柄、あるいは写真絵柄等を表す装飾層を設けることにより、粘着保護部材を使用する際の使い勝手性が向上するばかりか、ファッション性についての価値も向上させることができるためである。特に、蛍光剤を含む装飾層とすることにより、夜間における認識性を高めることも可能である。
【００２６】
２．粘着剤層
（１）種類
粘着剤層を構成する粘着剤の種類は特に制限されるものではないが、例えば、以下に説明するオルガノポリシロキサン系感圧粘着剤や、アクリル系粘着剤を使用することが好ましい。
【００２７】
まず、本発明においては粘着層には、主成分として、オルガノポリシロキサン系感圧粘着剤を用いることが好ましい。
この理由は、オルガノポリシロキサン系感圧粘着剤を用いることにより、皮膚に対して、適度な粘着性を示すことができる一方、耐クリープ性、耐水性、さらには耐薬品性についても向上させることができるためである。
このようなオルガノポリシロキサン系感圧接着剤の代表例としては、たとえば、一般式(１)や一般式(２)で表される構造を有するシリコーン樹脂を配合して、脱水縮合することによりえられるオルガノポリシロキサンなどが好ましい。
【００２８】
【化１】
2008023111.tif 000003
【００２９】
（一般式(１)中、Ｒ1およびＲ2は、それぞれメチル基またはフェニル基、ｎは１０〜１００００の整数を示す。）
【００３０】
【化２】
2008023111.tif 000004
【００３１】
（一般式(２)中、ｍは１０〜１００００の整数を示す。）
【００３２】
また、一般式(１)において、Ｒ1およびＲ2はそれぞれメチル基またはフェニル基であるが、粘着層に耐熱性などを付与せしめるためには、かかるメチル基とフェニル基のモル比（メチル基／フェニル基）を、２５／７５〜９８／２の範囲内の値とすることが好ましく、８５／１５〜９５／５の範囲内の値とすることがより好ましい。
さらに、また、一般式(１)および一般式(２)において、ｎおよびｍは、通常、不織布上に粘着層を形成する作業性を考慮すれば、感圧粘着剤の粘度が２０００〜２０００００ｃＰ（２５℃）となるように数値を調整することが好ましい。
【００３３】
また、オルガノポリシロキサン系感圧粘着剤中に、全体量に対して、無機充填剤を０．１〜１０重量％の範囲で添加することが好ましい。
この理由は、このような範囲で無機充填剤を添加することにより、粘着剤の凝集力が向上し、剥がしたときに、粘着剤が糊残ることが少なくなるためである。
また、無機充填剤の添加量を、全体量に対して、１〜１０重量％の範囲内の値、好ましくは３〜７重量％の範囲内の値とすることである。
この理由は、かかる添加量が１重量％未満の場合には、オルガノポリシロキサン系感圧粘着剤が、被着体としての皮膚に残ることがあり、かかる添加量が１０重量％をこえる場合には、粘着剤の凝集力が過度に向上し、粘着力が著しく低下する場合があるためである。
したがって、全体量に対して、無機充填剤を０．５〜８重量％の範囲で添加することがより好ましく、１〜５重量％の範囲で添加することがさらに好ましい。
い。
【００３４】
また、オルガノポリシロキサン系感圧粘着剤に含有される無機充填剤の平均粒子径を１〜２０μｍ、好ましくは４〜１２μｍの範囲内の値とすることが好ましい。
この理由は、無機充填剤の平均粒子径が１μｍ未満の場合には、無機充填剤が凝集しやすくなって、オルガノポリシロキサン系感圧粘着剤に均一に分散することが困難となる場合があるためである。また、無機充填剤の平均粒子径が１０μｍを超えると、形成される粘着層の厚さが、通常、２５〜３０μｍであるため、その表面上に無機充填剤が突出し、ザラツキ感を与える場合があるためである。さらに、無機充填剤の平均粒子径が大きくなると、製造工程において、無機充填剤のオルガノポリシロキサン系感圧粘着剤中における沈降速度が速くなって、均一な分散状態とすることが困難となる場合があるためである。
また、無機充填剤の具体例としては、たとえば炭酸カルシウム、ベントナイト、酸化チタン、酸化亜鉛、カリオン、シリカなどの一種単独または二種以上の組み合わせが挙げられる。
【００３５】
また、オルガノポリシロキサン系感圧粘着剤に添加して（全体量の１０〜３０重量％）、あるいはオルガノポリシロキサン系感圧粘着剤とは独立的（全体量の１００重量％）に、アクリル系粘着剤を使用することが好ましい。
この理由は、このようなアクリル系粘着剤を使用することにより、粘着剤の凝集力を低下させずに、タック性を容易に向上させることができるためである。
ここで、このようなアクリル系粘着剤の種類としては、たとえばアクリル酸２−エチルヘキシルおよびアクリル酸ブチルを主成分としたアクリル系共重合体が代表例としてあげられる。
また、このようなアクリル酸２−エチルヘキシルおよびアクリル酸ブチルとの配合割合は、重量比で２０：８０〜８０：２０、好ましくは２０：８０〜４０：６０となるように調整される。アクリル酸２−エチルヘキシルの割合が過度に少ない場合には、粘着剤の凝集力が増加し、粘着力が低下する場合があるためである。一方、アクリル酸２−エチルヘキシルの割合が過度に多い場合には、粘着剤の凝集力が低化しすぎて粘着力が低下する傾向があるためである。
なお、アクリル系粘着剤を構成するモノマー成分として、アクリルアミドやビニルカルボン酸を、全体量に対して、５重量％を超えない範囲で配合してもよい。
さらに、オルガノポリシロキサン系粘着剤との相溶性を考慮して、アクリル系粘着剤の粘度を５００〜２００００ｃＰ(２５℃)の範囲内の値とすることが好ましい。
【００３６】
（２）架橋剤
また、オルガノポリシロキサン系粘着剤に熱硬化性を付与し、高温下における粘着性を向上せしめるために、たとえば過酸化ベンゾイルや過酸化ジクミルなどの有機過酸化物や白金触媒を、オルガノポリシロキサン系粘着剤の固形分に対して、１．５〜３重量％の範囲で添加することが好ましい。
なお、添加効果を有効に発揮させるために、有機過酸化物や白金触媒を添加した後に、１２０℃以上の温度で加熱することが好ましい。
【００３７】
（３）添加剤
また、粘着剤組成物中に、所定の薬効を発揮できるように、添加剤の一種として、製剤（薬物）を添加することが出来る。このような製剤の種類は特に制限されるものではないが、例えば、抗炎症薬剤、消炎鎮痛剤、冠血管拡張剤、喘息薬、抗高血圧剤、抗ヒスタミン剤、精神安定剤、抗生物質、麻酔剤、ビタミン剤等の一種単独または二種以上の組合せが挙げられる。
また、製剤の添加量は、製剤の種類や粘着剤組成物の用途によって異なるが、例えば、粘着剤組成物の全体量に対して、０．１〜３０質量％の範囲内の値とすることが好ましい。
【００３８】
また、粘着剤組成物中に、各種添加剤を添加することが好ましい。例えば、酸化防止剤、粘度調整剤、紫外線吸収剤、隠蔽剤、可塑剤、ワックス、着色剤、無機フィラー、有機フィラー、増量剤、カップリング剤等の一種単独または二種以上の組合せが挙げられる。
【００３９】
（４）表面加工
また、上述したように、図５（ａ）〜（ｂ）に示すように、少なくとも第１の粘着保護部材１１における粘着剤層１１ａの表面に、開口部１１ａ´あるいは凹凸１１ａ´´が設けてあることが好ましい。
この理由は、このように構成することにより、透湿度の調整がさらに容易になって、衛生環境上好ましいばかりか、粘着剤層１１ａの表面積が大きくなって、粘着保護部材の剥がれを有効に防止することができるためである。
【００４０】
（５）剥離接着力
また、ＪＩＳ  Ｚ０２３７に準拠した複合粘着保護部材（第１の粘着保護部材および第２の粘着保護部材）の剥離接着力（モード：Ｔモード剥離、被着体：ステンレス板、剥離速度：３００ｍｍ／ｍｉｎ）を３〜２０Ｎ／２５ｍｍの範囲内の値とすることが好ましい。
この理由は、かかる剥離接着力が３Ｎ／２５ｍｍ未満の値になると、皮膚等から容易に剥離してしまい、複合粘着保護部材としての機能に劣る場合があるためである。一方、かかる剥離接着力が２０Ｎ／２５ｍｍを超えると、粘着剤を皮膚から除去することが困難になったり、あるいは、皮膚刺激性が過度に高くなって、使用時に不快感が生じたりする場合があるためである。
したがって、かかる複合粘着保護部材の剥離接着力を５〜１５Ｎ／２５ｍｍの範囲内の値とすることがより好ましく、９〜１２Ｎ／２５ｍｍの範囲内の値とすることがさらに好ましい。
なお、複合粘着保護部材の剥離接着力は、粘着剤層を構成する粘着剤の種類や厚さ、あるいは、第１の粘着保護部材および第２の粘着保護部材の重複面積等を、適宜選択することによって、調整可能である。以下、一例であるが、複合粘着保護部材の剥離接着力を調整する上で、好適な粘着剤層の態様を示す。
種類：オルガノポリシロキサン系粘着剤
厚さ：１０〜１００μｍ
【００４１】
３．変形例
また、第１の粘着保護部材１１と、第２の粘着保護部材１２とを含んでなる複合粘着保護部材１０の実施形態において、図８（ａ）〜（ｅ）に示すような、各種変形例を挙げることができる。
まず、図８（ａ）は、基材１１ｂ（１２ｂ）の表面に、クッション層３０および表面層３１を設けた複合粘着保護部材１０の変形例である。かかる変形例によれば、クッション層３０を不織布等から構成し、例えば表面層３１を装飾層とすることにより、複合粘着保護部材１０の使い勝手や装飾性等をさらに向上させることができる。
【００４２】
また、図８（ｂ）は、基材１１ｂ（１２ｂ）の表面に、クッション層３０のみを設けた複合粘着保護部材１０の変形例である。かかる変形例によれば、不織布等からなるクッション層３０に、着色剤等を添加することにより、薄手のまま、図８（ａ）の変形例と同様に、複合粘着保護部材１０の使い勝手や装飾性等をさらに向上させることができる。
【００４３】
また、図８（ｃ）は、基材１１ｂ（１２ｂ）と、粘着剤層１１ａ（１２ａ）と、の間に、クッション層３０を設けた複合粘着保護部材１０の変形例である。かかる変形例によれば、複合粘着保護部材１０の使い勝手等をさらに向上させることができる。
また、図８（ｄ）は、比較的厚手のクッション性を有する不織布等からなる基材１１ｂ（１２ｂ）を設けた複合粘着保護部材１０の変形例である。かかる変形例によれば、全体としては、簡易な構成で、複合粘着保護部材１０の使い勝手等をさらに向上させることができる。なお、このようなクッション性を有する基材１１ｂ（１２ｂ）を用いた場合、粘着剤層１１ａ（１２ａ）との間の密着性を向上させるために、全体的または部分的に、エンボス処理を施すことが好ましい。
【００４４】
さらに、図８（ｅ）は、補強基材２０ａと、剥離層２０ｂとを備えた補強用剥離部材２０を備えた複合粘着保護部材１０の変形例である。
より具体的には、補強基材２０ａとしては、ポリエステルフィルム、ポリカーボネートフィルム等が好適に用いられ、剥離層２０ｂには、シリコーン系剥離樹脂やフッ素系剥離樹脂等が好適に用いられる。
したがって、かかる変形例によれば、全体としては、簡易かつ薄型の構成であっても、複合粘着保護部材１０の製造が容易になるばかりか、使い勝手性等をさらに向上させることができる。
【００４５】
４．組み合わせ性
また、図９（ａ）〜（ｂ）に示すように、第１の粘着保護部材１１および第２の粘着保護部材１２が、相互に係合する係合部８０ａ、８０ｂを備えることが好ましい。
この理由は、このように構成することにより、第１の粘着保護部材１１が自然剥離するのを、第２の粘着保護部材１２が良好に防止したり、あるいは係合部８０ａ、８０ｂを介して、同時に剥離することも可能となるためである。
また、相互に係合する係合部８０ａ、８０ｂを目印として、精度良く貼付することができるため、使い勝手をさらに向上させることができる。
なお、係合部８０ａ、８０ｂの態様としては、凸部と、凹部であっても良いし、あるいは突起と、それと係合する穴部であっても良いし、さらには、識別性を挙げるための平面的な着色部であっても良い。
【００４６】
５．製造方法
（１）粘着剤層の形成工程
図１０（ａ）に示すように、粘着剤層の形成工程として、剥離部材６０上に、粘着剤層１１ａ（１２ａ）を形成する。
その場合、粘着剤層１１ａ（１２ａ）の形成方法については、特に制限されるものではないが、例えば、ロールコーター、コンマコーター、ナイフコーター等を用いて、粘着剤組成物を基材上に均一に塗布することができる。
また、粘着剤組成物の種類によるが、粘着剤層の形成に際して、溶剤を飛散させたり、架橋処理を施したりするために、一定条件下で、加熱処理することも好ましい。
【００４７】
（２）ラミネート工程
図１０（ｂ）に示すように、ラミネート工程として、剥離部材６０上の粘着剤層１１ａ（１２ａ）の上に、基材１１ｂ（１２ｂ）をさらに積層する。
その場合、基材１１ｂ（１２ｂ）の積層方法については、特に制限されるものではないが、例えば、ラミネートや押圧ロール等を用いることができる。
なお、上述したように、基材１１ｂ（１２ｂ）の伸び率（ＪＩＳ−Ｌ−１０９６準拠）が１５０％以上であって、あるいはかかる基材の厚さが比較的薄い場合（例えば、３〜１５μｍ）の場合には、取り扱い上、所定箇所に容易に貼付できるとともに、患部を選択的に被覆できることから、基材１１ｂ（１２ｂ）の表面に、シリコーン剥離紙やシリコーン剥離フィルム等から構成された補強用剥離部材を予め積層しておくことが好ましい。
【００４８】
（３）切断工程
図１０（ｃ）に示すように、切断工程として、切断治具７０を用いて、基材１１ｂ（１２ｂ）を積層した状態の積層物を、図１０（ｄ）に示すような所定形状に切断する。すなわち、矢印Ａ、Ｂが示すように、それぞれ所定形状を有する第１の粘着保護部材１１および第２の粘着保護部材１２とする。
その場合、切断治具７０として、カッター、ナイフ、レーザー、切断わく等を用いることができる。
また、その後の取り扱いを考慮して、剥離部材６０は切断せずに、基材１１ｂ（１２ｂ）及び粘着剤層１１ａ（１２ａ）のみを所定形状に切断することも好ましい。
【図面の簡単な説明】
【００４９】
【図１】（ａ）〜（ｂ）は、複合粘着保護部材（第１の粘着保護部材および第２の粘着保護部材）の態様を説明するために供する図である。
【図２】（ａ）〜（ｂ）は、補強用剥離部材を備えた複合粘着保護部材（第１の粘着保護部材および第２の粘着保護部材）の態様を説明するために供する図である。
【図３】（ａ）〜（ｃ）は、第１の粘着保護部材における変形例を説明するために供する図である。
【図４】（ａ）〜（ｃ）は、第２の粘着保護部材における変形例を説明するために供する図である。
【図５】（ａ）〜（ｄ）は、クッション層を備えた複合粘着保護部材の態様を説明するために供する図である。
【図６】（ａ）〜（ｂ）は、撥水処理層を備えた複合粘着保護部材の態様を説明するために供する図である。
【図７】（ａ）〜（ｂ）は、識別マーク等を備えた複合粘着保護部材の態様を説明するために供する図である。
【図８】（ａ）〜（ｅ）は、複合粘着保護部材の変形例を説明するために供する図である。
【図９】（ａ）〜（ｂ）は、第１の粘着保護部材および第２の粘着保護部材の組み合わせの態様を説明するために供する図である。
【図１０】（ａ）〜（ｄ‘）は、複合粘着保護部材の製造方法を説明するために供する図である。
【図１１】従来の指爪被覆テープを示す概略図である。
【図１２】従来の指先用絆創膏を示す概略図である。
【図１３】従来の指先傷絆キャップを示す概略図である。
【図１４】従来の指先あかぎれ用絆創膏を示す概略図である。
【符号の説明】
【００５０】
１０：複合粘着保護部材
１１：第１の粘着保護部材
１１ａ：粘着剤層
１１ａ´：開口部
１１ａ´´：凹凸
１１ｂ：基材
１１ｂ´：補強用剥離部材
１１ｃ、１１ｃ´：切り欠け
１１ｄ：曲率部
１１ｅ：主要部
１１ｆ：角部
１１ｇ：液体吸収部
１１ｈ：開口部
１１ｉ、１１ｉ´：スリット部
１２：第２の粘着保護部材
１２ａ：粘着剤層
１２ｂ：基材
１２ｂ´：補強用剥離部材
１２ｃ、１２ｃ´、１２ｆ：切り欠け
１２ｄ、１２ｄ´：爪部
１２ｅ：主要部
１２ｇ：取手
２０：補強用剥離部材
２０ａ：補強基材
２０ｂ：剥離層
３０：クッション層
３１：表面層
４０：撥水処理層
５０：識別マーク（または装飾層）
６０：剥離部材
８０ａ、８０ｂ：係合部
９０：接着層
【図１】
2008023111.tif 000005
【図２】
2008023111.tif 000006
【図３】
2008023111.tif 000007
【図４】
2008023111.tif 000008
【図５】
2008023111.tif 000009
【図６】
2008023111.tif 000010
【図７】
2008023111.tif 000011
【図８】
2008023111.tif 000012
【図９】
2008023111.tif 000013
【図１０】
2008023111.tif 000014
【図１１】
2008023111.tif 000015
【図１２】
2008023111.tif 000016
【図１３】
2008023111.tif 000017
【図１４】
2008023111.tif 000018